(57)【要約】【課題】単独仕様のガスメータの外観品位を低下させることなく、単独仕様からアダプタ取付仕様のガスメータへの変更を簡単にできるガスメータのアダプタ取付方法を提案すること。【解決手段】ガスメータ１Ａの端子カバー６として、端子カバー６として機能するカバー部分３１とアダプタ２０を取付け可能なアダプタ取付部分３２を備えたアダプタ取付用端子カバー３０を用意する。単独仕様のガスメータ１Ａの場合には、通常の端子カバー６をそのままメータケース２に取り付けて使用する。アダプタ取付用の機構がガスメータ１に配置されていないので、当該機構の部分が露出して外観品位が悪化するなどの弊害は起きない。端子カバー６をアダプタ取付用端子カバー３０に交換するだけで、簡単に、単独仕様のガスメータ１Ａを、アダプタ取付仕様のガスメータ１Ｃに変更できる。【選択図】図１
2019015579.tif 000002
【特許請求の範囲】
【請求項１】
ガスメータに所定の機能を付加するために使用されるアダプタを前記ガスメータに取り付けるためのガスメータのアダプタ取付方法であって、
前記ガスメータは、外部と通信を行うための通信端子を備え、前記通信端子は端子収容部内に配置され、前記端子収容部は、前記ガスメータのメータケースに形成した開口部を備え、前記開口部は前記メータケースに着脱可能に取り付ける端子カバーによって封鎖可能であり、
前記端子カバーとして機能するカバー部分および前記アダプタを取付け可能なアダプタ取付部分を備えたアダプタ取付用端子カバーを用意し、
前記ガスメータを単独で使用する場合には、前記端子カバーを前記メータケースに取り付けて前記開口部を封鎖し、
前記ガスメータに前記アダプタを取り付けて使用する場合には、前記端子カバーの代わりに、前記アダプタ取付用端子カバーを前記メータケースに取り付けて前記開口部を封鎖し、
前記メータケースに取り付けた前記アダプタ取付用端子カバーの前記アダプタ取付部分に、前記アダプタを取り付ける
ガスメータのアダプタ取付方法。
【請求項２】
請求項１において、
前記アダプタ取付用端子カバーに、前記アダプタと前記端子収容部の間に架け渡される配線を収容する配線収容溝を形成し、前記配線収容溝に、前記配線の一部を所定の角度に折り曲げた状態で収容する折り曲げ溝部分を形成し、
前記ガスメータに前記アダプタを取り付けて使用する場合には、
前記アダプタ取付用端子カバーを、前記メータケースに取り付けて前記開口部を封鎖し、
前記アダプタ取付用端子カバーのカバー前面に前記アダプタを取り付け、
前記折り曲げ溝部分と、当該折り曲げ溝部分に収容した前記配線の折り曲げ配線部分との間の係合力を利用して、前記配線収容溝から前記配線が外れることを防止するガスメータのアダプタ取付方法。
【請求項３】
請求項２において、
前記カバー前面に前記アダプタ取付部分を設け、
前記アダプタ取付用端子カバーのカバー背面に前記配線収容溝を配置し、
前記アダプタ取付用端子カバーには、前記カバー前面から前記カバー背面に貫通して前記配線収容溝に繋がる配線穴を形成し、
前記ガスメータに前記アダプタを取り付けて使用する場合には、
前記アダプタ取付用端子カバーを、前記カバー背面が前記ガスメータに対峙するように前記メータケースに取り付けて、前記開口部を封鎖し、
前記アダプタ取付用端子カバーの前記カバー前面に前記アダプタを取り付け、
前記アダプタと前記端子収容部の間に、前記配線穴に通して前記配線が架け渡されるガスメータのアダプタ取付方法。
【請求項４】
請求項３において、
前記メータケースには、前記端子カバーをねじ止めするためのカバー取付用ねじ穴が形成されており、
前記アダプタ取付用端子カバーにおける前記カバー前面の前記アダプタ取付部分に、前記カバー前面から前記カバー背面に貫通するカバー側ねじ通し穴を形成し、
前記ガスメータに前記アダプタを取り付けて使用する場合には、
前記アダプタ取付用端子カバーを前記メータケースにねじ止めし、
前記アダプタ取付用端子カバーの前記カバー前面に露出している前記カバー側ねじ通し穴および当該カバー側ねじ通し穴に装着したカバー取付ねじの頭部を、前記カバー前面に取り付けたアダプタカバーによって覆い隠す
ガスメータのアダプタ取付方法。
【請求項５】
請求項４において、
前記アダプタ取付用端子カバーの前記アダプタ取付部分に、前記アダプタを位置決めするためのカバー側位置決め部を設け、前記アダプタのアダプタ背面には前記カバー側位置決め部に係合可能なアダプタ側位置決め部を設け、
前記アダプタ取付用端子カバーの前記アダプタ取付部分に、前記アダプタをねじ止めするためのアダプタ取付用ねじ穴を形成し、前記アダプタには、アダプタ前面の側から前記アダプタ背面の側に貫通するアダプタ側ねじ通し穴を形成し、
前記アダプタ前面の側に露出する前記アダプタ側ねじ通し穴を覆い隠すアダプタカバーを、前記アダプタに取り付け可能とし、
前記ガスメータに前記アダプタを取り付けて使用する場合には、
前記アダプタ取付用端子カバーを前記メータケースにねじ止めし、
前記アダプタ取付用端子カバーの前記カバー側位置決め部に、前記アダプタの前記アダプタ側位置決め部を係合させて、当該アダプタを位置決めし、
位置決めされた前記アダプタの前側から、前記アダプタ側ねじ通し穴を通して前記アダプタ取付用ねじ穴にアダプタ取付ねじをねじ込み、前記アダプタを前記アダプタ取付用端子カバーに取り付け、
前記アダプタ前面に露出している前記アダプタ側ねじ通し穴およびアダプタ取付ねじの頭部を、前記アダプタ前面に取り付けた前記アダプタカバーによって覆い隠す
ガスメータのアダプタ取付方法。
【請求項６】
ガスメータに取り付けて使用されるガスメータのアダプタユニットであって、
前記ガスメータは、外部と通信を行うための通信端子を備え、前記通信端子は端子収容部内に配置され、前記端子収容部は、前記ガスメータのメータケースに形成した開口部を備え、前記開口部は端子カバーによって封鎖可能であり、
ガスメータに所定の機能を付加するためのアダプタと、
前記端子カバーとして機能するカバー部分および前記アダプタを取付け可能なアダプタ取付部分を備えたアダプタ取付用端子カバーと
を有しているガスメータのアダプタユニット。
【請求項７】
請求項６において、
前記アダプタ取付用端子カバーは、前記アダプタと前記ガスメータの間に架け渡される配線を収容する配線収容溝を有し、
前記配線収容溝は、前記配線の一部を所定の角度に折り曲げた状態で収容する折り曲げ溝部分を備えている
ガスメメータのアダプタユニット。
【請求項８】
請求項７において、
前記アダプタ取付用端子カバーは、
前記配線収容溝を備えたカバー背面と、
前記アダプタを取り付けるアダプタ取付部分を備えたカバー前面と、
前記カバー前面から前記カバー背面に貫通して前記配線収容溝に繋がる配線穴と
を有しているガスメータのアダプタユニット。
【請求項９】
請求項８において、
前記アダプタ取付用端子カバーは、前記ガスメータのメータケースにねじ止めするために、前記カバー前面の前記アダプタ取付部分に、前記カバー前面から前記カバー背面に貫通するねじ通し穴を備えており、
前記アダプタ取付用端子カバーの前記カバー前面に露出している前記ねじ通し穴は、前記アダプタ取付部分に取り付けた前記アダプタによって覆い隠される位置に形成されているガスメータのアダプタユニット。
【請求項１０】
請求項９において、
前記アダプタ取付用端子カバーの前記アダプタ取付部分には、前記アダプタを位置決めするためのカバー側位置決め部、および、前記アダプタをねじ止めするためのアダプタ取付用ねじ穴が形成されており、
前記アダプタには、そのアダプタ背面に、前記カバー側位置決め部に係合可能なアダプタ側位置決め部と、アダプタ前面の側から前記アダプタ背面の側に貫通するアダプタ側ねじ通し穴とが形成されており、
前記アダプタには、前記アダプタ前面の側に露出する前記アダプタ側ねじ通し穴を覆い隠すアダプタカバーが着脱可能に取り付けられているガスメータのアダプタユニット。
【発明の詳細な説明】
【技術分野】
【０００１】
本発明は、ガスメータに所定の機能を付加するために使用されるアダプタを、ガスメータに取り付けるためのガスメータのアダプタ取付方法およびアダプタユニットに関する。
【背景技術】
【０００２】
ガスメータには、所定の機能、例えば、ガスメータで測定されるガス流量に基づき所定の基準で分計を行う分計機能、その他の機能を備えた機器（以下、これらを、アダプタと呼ぶ。）が接続されて、使用される場合がある。このようなアダプタは、ガスメータのメータケースに取り付けて一体化してユニットとして使用される場合、および、ガスメータとは異なる場所に設置され、配線によってガスメータに接続して使用される場合がある。特許文献１には、ガスメータの底面に取り付けて使用可能なガスメータ用のアダプタが提案されている。
【先行技術文献】
【特許文献】
【０００３】
【特許文献１】特開２００５−６１８６４号公報
【発明の概要】
【発明が解決しようとする課題】
【０００４】
ここで、ガスメータ用のアダプタを、ガスメータの設置環境に応じて、アダプタをガスメータに取り付けて一体化したユニットとして使用する場合と、アダプタをガスメータとは分離させた状態で使用する場合とに、使い分けたい場合がある。
【０００５】
このような使い分けを可能とするためには、上記の特許文献１に記載されているように、アダプタをガスメータに取り付けるための機構を、ガスメータおよびアダプタの双方に設けておく必要がある。このような機構を設けると、その分、双方共に、寸法が大きくなる。
【０００６】
また、アダプタとガスメータを異なる場所に配置して配線接続して使用する場合には、ガスメータに設けたアダプタ取付用の機構は使用されないので、経済的でない。さらに、このような取付用の機構部分が露出したままの状態でガスメータが使用されると、ガスメータの外観品位が低下し、露出している機構部分に物が当たり損傷するおそれもあるので、好ましくない。
【０００７】
本発明の課題は、このような点に鑑みて、ガスメータを単独で使用する場合には、不要なアダプタ取付用の機構をガスメータから除去でき、アダプタをガスメータに取り付けて使用する場合には、アダプタをガスメータに簡単に取り付け可能なガスメータのアダプタ取付方法、およびアダプタユニットを提供することにある。
【課題を解決するための手段】
【０００８】
本発明による、ガスメータに所定の機能を付加するために使用されるアダプタをガスメータに取り付けるためのガスメータのアダプタ取付方法において、使用するガスメータは、外部と通信を行うための通信端子を備え、通信端子は端子収容部内に配置され、端子収容部は、ガスメータのメータケースに形成した開口部を備え、開口部はメータケースに着脱可能に取り付ける端子カバーによって封鎖可能な構造となっている。
【０００９】
このような一般的な構造のガスメータにアダプタを取り付け可能にするために、本発明の方法では、端子カバーとして機能するカバー部分およびアダプタを取付け可能なアダプタ取付部分を備えたアダプタ取付用端子カバーを用意する。ガスメータを単独で使用する場合には、通常の端子カバーをそのままメータケースに取り付けて開口部を封鎖したままにしておく。アダプタ取付用の機構がガスメータに配置されていないので、当該機構の部分が露出してガスメータの外観品位が悪化するなどの弊害は起きない。また、使用されないアダプタ取付用の機構をガスメータに設けておく必要がないので経済的であり、また、ガスメータの寸法の増加も回避できる。
【００１０】
ガスメータを、アダプタを取り付けて使用する場合には、ガスメータに取り付けられている端子カバーを外し、この代わりに、予め用意してあるアダプタ取付用端子カバーをメータケースに取り付けて、そのカバー部分によって、開口部を封鎖する。メータケースに取り付けたアダプタ取付用端子カバーには、アダプタ取付部分が設けられている。アダプタ取付用端子カバーをガスメータに取り付けることにより、ガスメータにはアダプタ取付用の機構が配置される。よって、ガスメータに、アダプタ取付用端子カバーを介して、アダプタを取り付けてユニット化できる。
【００１１】
本発明によれば、ガスメータを単独で使用する場合と、アダプタを取り付けて使用する場合との間の切り替えを、通常の端子カバーとアダプタ取付用端子カバーとを交換することにより、可能としている。ガスメータの側には何ら変更を加えずに、端子カバーを交換するだけでよいので、切り替えを簡単かつ迅速に行うことができる。
【００１２】
ここで、アダプタをガスメータに取り付けて使用する場合には、アダプタとガスメータとの間の配線を適切に引き回して、配線の弛み、外方へのはみ出し等が生じないようにすることが望ましい。このために、アダプタ取付用端子カバーに、アダプタと端子収容部の間に架け渡される配線を収容する配線収容溝を形成し、配線収容溝に、配線の一部を所定の角度に折り曲げた状態で収容する折り曲げ溝部分を形成しておく。
【００１３】
ガスメータを、アダプタを取り付けて使用する場合には、アダプタ取付用端子カバーを、メータケースに取り付けて開口部を封鎖し、アダプタ取付用端子カバーのカバー前面にアダプタを取り付け、配線を、配線収容溝に沿って配置することができる。また、折り曲げ溝部分と、当該折り曲げ溝部分に収容した配線の折り曲げ配線部分との間に生じる係合力を利用して、配線収容溝から配線が外れることを防止できる。
【００１４】
また、アダプタ取付用端子カバーのカバー前面にアダプタ取付部分を設け、そのカバー背面の側がメータケースに取り付けられる場合には、カバー背面に配線収容溝を配置して外側から見えないようにすると共に、カバー前面からカバー背面に貫通して配線収容溝に繋がる配線穴を形成しておけばよい。この場合、例えば、ガスメータの端子に配線を繋ぎ、開口部を閉鎖し、開口部から引き出された配線を、配線収容溝に収容した後、貫通孔を通してアダプタ側の端子に引き込み、当該端子に接続した後、アダプタの端子台カバーで閉鎖する。
【００１５】
さらに、端子カバーは一般にガスメータのメータケースにねじ止め固定される。この場合には、端子カバーをねじ止めするためのカバー取付用ねじ穴がガスメータの側に形成されている。アダプタ取付用端子カバーを、端子カバーと同様に、ねじ止めによって、メータケースに取り付けるために、アダプタ取付用端子カバーにおけるカバー前面のアダプタ取付部分に、カバー前面からカバー背面に貫通するカバー側ねじ通し穴を形成しておけばよい。
【００１６】
ガスメータを、アダプタを取り付けて使用する場合には、端子カバーを外した後に、アダプタ取付用端子カバーをメータケースにねじ止めし、アダプタ取付用端子カバーのアダプタ取付部分にアダプタを取り付ける。アダプタ取付用端子カバーのカバー前面に露出しているカバー側ねじ通し穴および当該ねじ通し穴に装着したカバー取付ねじの頭部を、アダプタによって覆い隠せばよい。このようにすれば、アダプタが取り付けられたアダプタ取付用端子カバーが悪戯などによってガスメータから取外されることを防止するのに有効である。
【００１７】
アダプタも、アダプタ取付用端子カバーにねじ止めによって取り付けることができる。この場合には、アダプタ取付用端子カバーのアダプタ取付部分に、アダプタをねじ止めするためのアダプタ取付用ねじ穴を形成し、アダプタには、アダプタ前面の側からアダプタ背面の側に貫通するアダプタ側ねじ通し穴を形成しておけばよい。
【００１８】
この場合には、アダプタ取付用端子カバーに対するアダプタの位置決め作業、すなわち、アダプタ取付用ねじ穴にアダプタ側ねじ通し穴を位置決めする作業を簡単に行うための位置決め機構を設けることが望ましい。すなわち、アダプタ取付用端子カバーのアダプタ取付部分に、アダプタを位置決めするためのカバー側位置決め部を設け、アダプタのアダプタ背面には、カバー側位置決め部に係合可能なアダプタ側位置決め部を設けておくことが望ましい。
【００１９】
さらに、アダプタをねじ止めした後に、アダプタ前面に露出しているアダプタ側ねじ通し穴およびアダプタ取付ねじの頭部を、アダプタ前面に取り付けたアダプタカバーによって覆い隠すことが望ましい。この場合、アダプタの前面に露出するアダプタ取付ねじとしては、いじり止めねじ、あるいは、いたずら防止ねじ等と呼ばれるねじを使用すればよい。
【００２０】
次に、本発明による、上記構成のガスメータに取り付けて使用されるガスメータのアダプタユニットは、ガスメータに所定の機能を付加するための上記構成のアダプタと、端子カバーとして機能するカバー部分およびアダプタを取付け可能なアダプタ取付部分を備えた上記構成のアダプタ取付用端子カバーとを有していることを特徴としている。
【図面の簡単な説明】
【００２１】
【図１】本発明の実施の形態におけるガスメータ単独で使用する単独仕様の場合とアダプタを取り付けて使用するアダプタ取付仕様との間の切り替えを示す説明図である。
【図２】アダプタ取付仕様のガスメータを示す正面図、側面図および背面図である。
【図３】アダプタ取付仕様のガスメータを示す分解斜視図である。
【図４】端子カバーを示す前面側斜視図および背面側斜視図、並びに、アダプタ取付用端子カバーを示す前面側斜視図および背面側斜視図である。
【図５】アダプタの一例を示す前面側斜視図、背面側斜視図、正面図、背面図、およびアダプタカバーを取り外した状態の正面図である。
【発明を実施するための形態】
【００２２】
以下に、図面を参照して本発明の実施の形態を説明する。図１は、本実施の形態におけるガスメータ単独で使用する単体仕様のガスメータと、アダプタを取り付けて使用するアダプタ取付仕様のガスメータとの間の切り替えを示す説明図である。図２（ａ）はアダプタ取付仕様のガスメータを示す正面図、図２（ｂ）はその側面図、図２（ｃ）はその背面図である。図３はアダプタ取付仕様のガスメータの分解斜視図である。
【００２３】
図１の（状態Ａ）は、単独仕様のガスメータ１Ａを示す。単独仕様のガスメータ１Ａは、一般的なガスメータであり、そのメータケース２の上端面にガス入口３およびガス出口４が配置されている。メータケース２の内部には、ガス入口３から流入してガス出口４に流れ出るガス流量を計測する不図示の計測ユニットと、計測ユニットから供給される計測データに基づき所定の基準でガス積算値の算出制御、外部との間の通信制御などの各種制御を行う不図示の制御ユニットなどが配置されている。
【００２４】
メータケース２の前面の上半部分には液晶表示器などの表示部５が取り付けられている。メータケース２における表示部５の下側部分には、端子カバー６がねじ止めによって、取り付けられている。図１の（状態Ｂ）は、端子カバー６を外した状態のガスメータ１Ｂを示す。端子カバー６をメータケース２から外すと、封鎖されていた端子収容部７の開口部８が露出する。端子収容部７には、外部との間で通信を行うための通信端子が配列されている。開口部８は、矩形枠状のシール９を挟み、端子カバー６によって気密状態で封鎖される。
【００２５】
（状態Ａ）で示す単独仕様のガスメータ１Ａを、分計機能などの機能を備えたアダプタ２０を取り付けたアダプタ取付仕様で使用する場合には、（状態Ｂ）で示すように、端子カバー６を取り外す。次に、端子カバー６の代わりに、予め用意されているアダプタ取付用端子カバー３０をメータケース２に取り付けて、（状態Ｃ）で示すアダプタ取付仕様のガスメータ１Ｃに切り替える。なお、以下においては、ガスメータ１Ａから端子カバー６およびシール９を外した状態を、ガスメータ１として説明する。
【００２６】
アダプタ取付用端子カバー３０は、端子カバー６として機能するカバー部分３１と、アダプタ２０を取付け可能なアダプタ取付部分３２とを備えている。アダプタ取付用端子カバー３０のカバー部分３１は、シール９を介して、メータケース２にねじ止めされる。カバー部分３１によって、開口部８が気密状態に封鎖される。また、メータケース２に取り付けたアダプタ取付用端子カバー３０のカバー前面のアダプタ取付部分３２に、アダプタ２０をねじ止め可能である。
【００２７】
このように、ガスメータ１Ａをアダプタ取付仕様のガスメータ１Ｃに切り替えるために、アダプタ取付用端子カバー３０とアダプタ２０とから構成されるアダプタユニット５０が予め用意されている。なお、アダプタ取付仕様のガスメータ１Ｃを単独仕様のガスメータ１Ａに戻す場合には、アダプタ２０およびアダプタ取付用端子カバー３０を外し、通常の端子カバー６を取り付けて開口部８を封鎖すればよい。
【００２８】
（端子カバー）
図４（ａ）および（ｂ）は端子カバー６を示す前面側斜視図および背面側斜視図であり、図４（ｃ）および（ｄ）はアダプタ取付用端子カバー３０を示す前面側斜視図および背面側斜視図である。
【００２９】
図１および図４（ａ）、（ｂ）を参照して説明すると、端子カバー６は、ガスメータ１のメータケース２に形成した開口部８に対応した横長の長方形輪郭の前面板６ａと、その下端縁から後方に直角に折れ曲がっている細幅の底面板６ｂとを備えている。前面板６ａの左右の縁部分には、ねじ止め用のねじ通し穴６ｃ、６ｄが貫通している。前面板６ａの背面６ｅには、開口部８にはまり込む矩形枠６ｆが形成されている。また、底面板６ｂおよび矩形枠６ｆの下辺部分には、配線用の切り込み６ｇ、６ｈが形成されている。ねじ通し穴６ｃ、６ｄに対応するカバー取付用ねじ穴８ａ、８ｂが、図１、図３に示すように、ガスメータ１のメータケース２の開口部８における左右の縁部分に形成されている。端子カバー６は、左右２本のカバー取付ねじ１１ａ、１１ｂによって、メータケース２に取り付けられる。
【００３０】
（アダプタ取付用端子カバー）
図２、図３および図４（ｃ）、（ｄ）を参照して説明すると、アダプタ取付用端子カバー３０は、例えば矩形輪郭の板状の樹脂成形品であり、その上側部分がカバー部分３１であり、そのカバー前面３３がアダプタ取付部分３２となっている。上側のカバー部分３１はメータケース２の開口部８を封鎖可能な大きさの部分である。
【００３１】
カバー部分３１におけるカバー背面３４の側には、開口部８に嵌め込み可能な矩形枠３５が形成されており、この内側部分は格子状に形成したリブによって補強されている。矩形枠３５を取り囲むカバー背面部分と、メータケース２の開口部８の外周縁部分との間に、シール９が装着される。カバー部分３１の左右の端部分には、メータケース２側のカバー取付用ねじ穴８ａ、８ｂに対応するカバー側ねじ通し穴３６ａ、３６ｂが形成されている。カバー側ねじ通し穴３６ａ、３６ｂは、カバー前面３３からカバー背面３４に貫通している。カバー取付ねじ１１ａ、１１ｂによって、アダプタ取付用端子カバー３０のカバー部分３１を、シール９を挟み、メータケース２に固定して、開口部８を密閉状態に封鎖できる。
【００３２】
カバー背面３４において、カバー部分３１の下側部分は、背面側にせり出して、全体として、格子状に形成したリブによって補強されたリブ付き部分３７となっている。リブ付き部分３７の上端に形成されている横方向に延びる横リブ３７ａは、メータケース２の開口部８の底側開口部分を封鎖する部分である。この横リブ３７ａには、配線用の切り込み３７ｂが形成されている。
【００３３】
リブ付き部分３７には、配線収容溝３８が形成されている。図４（ｄ）、図２（ｃ）に示すように、配線収容溝３８は、リブ付き部分３７の上端の一つの配線用の切り込み３７ｂから下方に直線状に延びる上側溝部分３８ａと、この下端から横方向に直角に折れ曲がって延びる折り曲げ溝部分３８ｂと、この端から下方に直線状に延びる下側溝部分３８ｃとを備えている。下側溝部分３８ｃの下端部は、カバー背面３４からカバー前面３３に貫通している配線穴３９を介して、カバー前面３３の側に連通している。カバー前面３３の下端部における配線穴３９が開口している部分には、前方に台形状に突出した配線ガイド４０が形成されている。
【００３４】
カバー前面３３のアダプタ取付部分３２には、ねじ４１を備えたアダプタ位置決め部が設けられている。ねじ４１（図３参照）は、カバー前面３３に形成したねじ穴４２に取り付けられている。ねじ穴４２は、カバー前面３３の上端側における幅方向の中央に位置している。ねじ穴４２には、ねじ４１の頭部がカバー前面３３から所定量だけ浮き上がった状態となるように、ねじ４１がねじ込み固定される。また、カバー前面３３の下端側における幅方向の中央には、アダプタ取付ねじ４３（図３参照）を取り付けるためのアダプタ取付用ねじ穴４４が形成されている。
【００３５】
（アダプタ）
図５（ａ）、（ｂ）はアダプタ２０を示す前面側斜視図および背面側斜視図であり、図５（ｃ）〜（ｅ）はアダプタの正面図、背面図、およびアダプタカバーを取り外した状態の正面図である。
【００３６】
図２および図５を参照して説明すると、アダプタ２０は、アダプタ取付用端子カバー３０に対応する大きさの矩形輪郭形状をしており、そのアダプタケース２１の前面２１ａには、表示部２２、操作ボタン２３等が配置されている。また、表示部２２の下側には、図３、図５（ｅ）に示すように、開口部２１ｂが形成され、この開口部２１ｂは、矩形枠状のシール２４を挟み、アダプタカバー２５によって密閉状態で封鎖されている。アダプタケース２１の内部には、例えば、ガスメータ１によって計測されたガス流量を所定の基準に従って積算する分計処理などを行う不図示の制御部、制御部が外部との間で通信を行うための通信端子２６が配置されている。
【００３７】
アダプタカバー２５には、その左右の縁部に、ねじ通し穴２５ａ、２５ｂが形成されている。アダプタケース２１には、ねじ穴２１ｃ、２１ｄが形成されており、アダプタカバー２５がアダプタケース２１にねじ止めされる。本例では、いじり止めねじ、あるいは、いたずら防止ねじと呼ばれるねじ２７ａ、２７ｂが取り付けられる。
【００３８】
ここで、アダプタ２０のアダプタ背面２１ｅには、その上側部分の幅方向の中央に、カバー側位置決め部に係合可能なアダプタ側位置決め部が設けられている。アダプタ側位置決め部は位置決め用のねじ係合溝２８を備えている。ねじ係合溝２８は下方に開口しており、下側から、位置決め用のねじ４１の脚部を差し込み可能である。ねじ係合溝２８の下端開口は下方に向けて左右に広がるねじガイド面となっている。図２において、アダプタ取付用端子カバー３０のカバー前面３３のねじ穴４２に位置決め用のねじ４１を、その頭部が浮き上がった状態に取り付け、アダプタ２０のねじ係合溝２８にねじ４１が差し込まれるように、カバー前面３３に沿って上側からアダプタ２０を取り付ける。これにより、アダプタ２０をカバー前面３３のアダプタ取付部分３２に位置決めできる。
【００３９】
また、アダプタケース２１には、アダプタカバー２５によって覆い隠されている開口部２１ｂの下端の一方の角部分に、アダプタ側ねじ通し穴２１ｆが形成されている。アダプタ２０を上記のようにカバー前面３３のアダプタ取付部分３２に位置決めすると、アダプタ側ねじ通し穴２１ｆとアダプタ取付用端子カバー３０のアダプタ取付用ねじ穴４４とが一致する。この状態で、アダプタ取付ねじ４３を用いて、アダプタ２０をアダプタ取付用端子カバー３０に固定できる。アダプタ取付ねじ４３を止めた後に、ねじ２７ａ、２７ｂによって、アダプタカバー２５をアダプタケース２１に固定すると、開口部２１ｂが封鎖される。また、アダプタ側ねじ通し穴２１ｆおよびアダプタ取付ねじ４３も覆い隠される。
【００４０】
以上説明したように、本例では、ガスメータ１Ａに所定の機能を付加するためのアダプタ２０と、端子カバー６として機能するカバー部分３１およびアダプタ２０を取付け可能なアダプタ取付部分３２を備えたアダプタ取付用端子カバー３０とが、アダプタユニット５０として事前に用意されている。単独仕様のガスメータ１Ａから、端子カバー６を外した状態のガスメータ１Ｂに、アダプタユニット５０を取り付けるだけで、アダプタ取付仕様のガスメータ１Ｃを構成できる。
【００４１】
また、アダプタ取付用端子カバー３０は、アダプタ２０とガスメータ１の間に架け渡される配線４５を収容する配線収容溝３８を有しており、配線収容溝３８には、配線４５の一部を所定の角度、例えば直角に折り曲げた状態で収容する折り曲げ溝部分３８ｂが備わっている。したがって、配線４５を、弛みのできない状態で確実に引き回すことができる。また、アダプタ取付用端子カバー３０は、カバー前面３３からカバー背面３４に貫通して配線収容溝３８に繋がる配線穴３９が形成されている。配線４５を外部から目立たない状態で引き回すことができるので、ガスメータの外観品位の低下を防止できる。
【００４２】
さらに、アダプタ取付用端子カバー３０は、ガスメータ１のメータケース２にねじ止めするために、カバー前面３３のアダプタ取付部分３２に、カバー前面からカバー背面に貫通するカバー側ねじ通し穴３６ａ、３６ｂを備えている。これらのカバー側ねじ通し穴は、アダプタ取付部分３２に取り付けたアダプタ２０によって覆い隠される位置に形成されている。したがって、アダプタ取付用端子カバー３０をメータケース２にねじ止めしているカバー取付ねじ１１ａ、１１ｂが外部に露出しない。悪戯などによって、アダプタ取付用端子カバー３０が外されてしまうことを防止できる。
【００４３】
また、アダプタ取付用端子カバー３０のアダプタ取付部分３２には、アダプタ２０をねじ止めするためのアダプタ取付用ねじ穴４４が形成されており、アダプタ２０には、アダプタ前面の側からアダプタ背面の側に貫通するアダプタ側ねじ通し穴２１ｆが形成されている。アダプタ２０には、アダプタ前面の側に露出するアダプタ側ねじ通し穴２１ｆを覆い隠すアダプタカバー２５がねじ止めされている。アダプタ２０をアダプタ取付用端子カバー３０にねじ止めしているアダプタ取付ねじ４３が外部に露出しない。また、アダプタカバー２５のねじ止めには、いじり止めねじ、あるいは、いたずら防止ねじ等と呼ばれるねじを使用している。よって、悪戯などによって、アダプタ２０が外されてしまうことを防止できる。
【００４４】
さらに、アダプタ取付用端子カバー３０のアダプタ取付部分３２には、アダプタ２０を位置決めするためのカバー側位置決め部である位置決め用のねじ４１が取り付けられており、アダプタ２０には、そのアダプタ背面に、位置決め用のねじ４１に係合可能なアダプタ側位置決め部であるねじ係合溝２８が形成されている。したがって、アダプタ２０をアダプタ取付用端子カバー３０に位置決めしてねじ止めする作業を簡単に行うことができる。
【符号の説明】
【００４５】
１      ガスメータ
１Ａ    単独仕様のガスメータ
１Ｂ    端子カバーを外した状態のガスメータ
１Ｃ    アダプタ取付仕様のガスメータ
２      メータケース
３      ガス入口
４      ガス出口
５      表示部
６      端子カバー
６ａ    前面板
６ｂ    底面板
６ｃ、６ｄ    ねじ通し穴
６ｅ    背面
６ｆ    矩形枠
６ｇ、６ｈ    切り込み
７      端子収容部
８      開口部
８ａ、８ｂ    カバー取付用ねじ穴
９      シール
１１ａ、１１ｂ  カバー取付ねじ
２０    アダプタ
２１    アダプタケース
２１ａ  アダプタ前面
２１ｂ  開口部
２１ｃ、２１ｄ  ねじ穴
２１ｅ  アダプタ背面
２１ｆ  アダプタ側ねじ通し穴
２２    表示部
２３    操作ボタン
２４    シール
２５    アダプタカバー
２５ａ、２５ｂ  ねじ通し穴
２６    通信端子
２７ａ、２７ｂ  ねじ
２８    ねじ係合溝
３０    アダプタ取付用端子カバー
３１    カバー部分
３２    アダプタ取付部分
３３    カバー前面
３４    カバー背面
３５    矩形枠
３６ａ、３６ｂ  カバー側ねじ通し穴
３７    リブ付き部分
３７ａ  横リブ
３７ｂ  切り込み
３８    配線収容溝
３８ａ  上側溝部分
３８ｂ  折り曲げ溝部分
３８ｃ  下側溝部分
３９    配線穴
４０    配線ガイド
４１    ねじ
４２    ねじ穴
４３    アダプタ取付ねじ
４４    アダプタ取付用ねじ穴
４５    配線
５０    アダプタユニット
【図１】
2019015579.tif 000003
【図２】
2019015579.tif 000004
【図３】
2019015579.tif 000005
【図４】
2019015579.tif 000006
【図５】
2019015579.tif 000007